(57)【要約】      （修正有）【課題】多接点型のスイッチとリレーによりモーターの回転方向を制御する比例制御機構を提供する。【解決手段】指示ユニット、受動ユニットに別れており、作用させるモーターと受動ユニットを連結させ、指示ユニットの可動部の両面にモーターの回転方向を制御する接触板７、８を配して、両側の静止部５、１１に接触端子６、１２を配列することで指示ユニットに比例して受動ユニットが作動する。【選択図】図４
0003221657.tif 000002
【実用新案登録請求の範囲】
【請求項１】
可動部の両端に接触面があり静止側に接触端子を配列することで指示ユニットに比例して受動ユニットが動作するスイッチング式の比例制御機構。
【請求項２】
有線による遠隔制御機構。
【考案の詳細な説明】
【技術分野】
【０００１】  本考案は多接点型のスイッチの集合体で比例制御機構であり遠隔制御機構である。
【背景技術】
【０００２】  一般的に、ポテンショメータあるいはエンコーダによって動作位置を感知して電子回路をへて、モーター駆動を行っている。
【考案の概要】
【考案が解決しようとする課題】
【０００３】  比例制御について従来の機構では、ポテンショメータ、エンコーダなどから複雑で高度な技術でモーターを駆動しているが、電子回路の駆動の為の電源電圧と駆動電源の差が生じた場合、その都度電圧の調整に回路が必要である。
【課題を解決するための手段】
【０００４】  本考案は、スイッチの集合体であり、ダイレクトに指示部と受動部を連動させる為、制御機構の設計が簡便である。
【考案の効果】
【０００５】  本考案は機構的に明瞭であり、保守点検が容易である。
【図面の簡単な説明】
【０００６】
【図１】  本考案の動作状態を概略的に示した図である。１．モーター  ２．受動ユニット  ３．指示ユニット
【図２】  本考案の動作状態を概略的に示した図である。１．モーター  ２．受動ユニット  ３．指示ユニット
【図３】  本考案の動作状態を概略的に示した図である。１．モーター  ２．受動ユニット  ３．指示ユニット
【図４】  指示ユニットの各部品の斜視図である。
【図５】  受動ユニットの各部品の斜視図である。
【図６】  回路図、各アルファベット記号は結線する。
【考案を実施するための形態】
【０００７】  作用させるモーターと受動ユニットを連結させ指示ユニットを必要な作用角だけ操作する。指示ユニット及び受動ユニットの接触端子間６・１２・１６・２２は別に設計可能なので双方のストローク間は任意で設定できる。
【実施例】
【０００８】  次に添付図面に従って実施例を説明する。
図４は指示ユニットの構成図であり取付けブラケット４・１３。接触端子６・１２が取り付けてある静止ベース５・１１。可動端子７・８が取付けてある可動ベース９で構成されており、可動ベース９は１０を支点として可動する。【０００９】  図５は受動ユニットの構成図であり取付けブラケット１４・２３。接触端子１６・２２が取付けてある静止ベース１５・２１。可動端子１７・１８が取付けてある可動ベース１９で構成されており、可動ベース１９は２０を支点として可動する。【００１０】  静止ベース５・１１・１５・２１に取付けてある接触端子６・１２・１６・２２は可動ベース側に接点圧を高める為に巻きバネが挿入されており接触端子は可動ベース側に動く様になっている。【００１１】  図６は回路図であり、各接触端子アルファベット記号は結線されており指示ユニット７・８に接触した各接触端子が受動部の各接触端子に帯電しており受動ユニットの可動端子と合致した分だけリレー２４・２５を通してモーターを駆動する。この場合指示ユニットの可動端子７・８は互いに接触接点６・１２の二接点分だけ帯電していないのでこの位置で受動ユニットの可動ベース１９は停止する。よって指示ユニットと受動ユニットは比例に動作する。【００１２】  次に本装置の防塵と防滴であるが、指示ユニットと受動ユニットの可動ベース１０・２０のシャフト受けの部分にフランジを取付け、シャフトを可動式として外部から入力する事により防塵、防滴にすることは容易である。
【符号の説明】
【００１３】１  モーター
２  受動ユニット
３  指示ユニット
４  指示部取付けブラケット  左
５  絶縁静止ベース  左
６  接触端子  左
７  可動端子  右
８  可動端子  左
９  可動ベース
１０  可動ベース回転受け穴
１１  絶縁静止ベース  右
１２  接触端子  右
１３  指示部取付けブラケット  右
１４  受動部取付けブラケット  左
１５  絶縁静止ベース  左
１６  接触端子  左
１７  可動端子  右
１８  可動端子  左
１９  可動ベース
２０  可動ベース回転受け穴
２１  絶縁静止ベース  右
２２  接触端子  右
２３  受動部取付けブラケット  右
２４  リレー
２５  リレー
【図１】
0003221657.tif 000003
【図２】
0003221657.tif 000004
【図３】
0003221657.tif 000005
【図４】
0003221657.tif 000006
【図５】
0003221657.tif 000007
【図６】
0003221657.tif 000008
【手続補正書】
【提出日】平成31年3月7日(2019.3.7)
【手続補正１】
【補正対象書類名】実用新案登録請求の範囲
【補正対象項目名】全文
【補正方法】変更
【補正の内容】
【実用新案登録請求の範囲】
【請求項１】
指示ユニットの可動部の両面にモーターの回転方向を制御する接触板を配して、両側の静止部に接触端子を配列することで指示ユニットに比例して受動ユニットが作動するスイッチング式の比例制御機構。
【手続補正２】
【補正対象書類名】明細書
【補正対象項目名】全文
【補正方法】変更
【補正の内容】
【考案の詳細な説明】
【技術分野】
【０００１】  本考案は多接点型のスイッチとリレーによりモーターの回転方向を制御する比例制御機構である。
【背景技術】
【０００２】  一般的に、比例制御はポテンショメータあるいはエンコーダによって動作位置を感知して電子回路を経て、モーター駆動を行っている。
【考案の概要】
【考案が解決しようとする課題】
【０００３】  比例制御について従来の機構では、ポテンショメータ、エンコーダ等を用いる複雑で高度な技術を使いモーターを駆動している。そのため、一般の人が保守点検をするのは困難である。
本考案は、より簡単な原理・構造の比例制御機構とすることによって、一般の人でも保守点検を容易にし、この問題を解決しようとするものである。
【課題を解決するための手段】
【０００４】  本考案は、スイッチの集合体であり、ダイレクトに指示部と受動部を連動させる為、制御機構の設計が簡便である。
【考案の効果】
【０００５】  本考案は機構的に明瞭であり、保守点検が容易である。
【図面の簡単な説明】
【０００６】
【図１】  本考案の動作状態を概略的に示した図である。１．モーター  ２．受動ユニット  ３．指示ユニット
【図２】  本考案の動作状態を概略的に示した図である。１．モーター  ２．受動ユニット  ３．指示ユニット
【図３】  本考案の動作状態を概略的に示した図である。１．モーター  ２．受動ユニット  ３．指示ユニット
【図４】  指示ユニットの上面図、正面図、側面図である。
【図５】  指示ユニットの各部品の斜視図である。
【図６】  受動ユニットの上面図、正面図、側面図である。
【図７】  受動ユニットの各部品の斜視図である。
【図８】  接触端子の拡大図である。
【図９】  回路図、支持ユニットと受動ユニットの同じアルファベットの端子は結線する。
【考案を実施するための形態】
【０００７】  作用させるモーターと受動ユニットを連結させる。指示ユニットを必要な作用角だけ操作する。受動ユニットは、可動接触板及び接触端子で構成された多接点スイッチとリレーを介して、モーターの回転を双方向に制御する。受動ユニットは、指示ユニットの操作角に応じた位置まで来ると、多接点スイッチとリレーを介してモーターを停止する。よって比例的に制御される。
指示ユニット及び受動ユニットの接触端子の個々の端子の間隔は、別々に設計可能なので、双方の動作角は任意で設定できる。
【実施例】
【０００８】  次に添付図面に従って実施例を説明する。
図４・図５は指示ユニットの構成図であり取付けブラケット４・１３。接触端子６・１２が取り付けてある静止ベース５・１１。可動接触板７・８が両側に取付けてある可動ベース９で構成される。可動接触板７・８は可動ベース９の中心に対して、端子間分の幅だけ離れて取付けられている。可動ベース９は１０を支点として可動する。【０００９】  図７・図８は受動ユニットの構成図であり取付けブラケット１４・２３。接触端子１６・２２が取付けてある静止ベース１５・２１。可動接触板１７・１８が取付けてある可動ベース１９で構成される。可動接触板１７・１８は端子間分の幅になっている。可動ベース１９は２０を支点として可動する。【００１０】  静止ベース５・１１・１５・２１に取付けてある接触端子６・１２・１６・２２は図８に示すように、可動ベース側への接点圧を高める為に巻きバネが挿入されており接触端子は可動ベース側に動くようになっている。【００１１】  図９は回路図であり、支持ユニットと受動ユニットの接触端子の同じアルファベットの個々の端子は結線されている。
図９で、指示ユニットの可動接触板７は、端子ＲＳＴＵＶに接触している。同じアルファベットの端子は各々結線されているので、受動ユニットの端子ＲＳＴＵＶは帯電する。受動ユニットの可動接触板１７は端子ＲＳＴＵＶに接触するとリレー２５を介して端子Ｌ方向へモーターを駆動する。端子Ｑの位置に移動すると帯電していないので、この位置で停止する。
指示ユニットの可動接触板８は、端子ＡＢＣＤＥが接触している。同じアルファベットの端子は各々結線されているので、受動ユニットの端子ＡＢＣＤＥは帯電する。受動ユニットの可動接触板１８は端子ＡＢＣＤＥに接触するとリレー２４を介して端子Ｋ方向へモーターを駆動する。端子Ｆの位置に移動すると帯電していないので、この位置で停止する。
上の説明のように、受動ユニットの可動接触板は帯電していない端子方向へ移動する。指示ユニットの可動接触板７・８は可動ベース９の中心に対して端子の間隔の幅だけ離れている。そのため受動ユニットの左右の接触端子は、離れている幅に対応する端子がともに無帯電となる。そのため、この無帯電の位置で受動ユニットの可動ベース１９は停止する。
よって、受動ユニットは指示ユニットによる無帯電の所を移動するので比例的に動作する。【００１２】  本機構は端子間隔で装置の大きさと動作角が決定されることから、接触端子を複数列に配置することで、小型化と動作角の細分化が可能である。
また、リレーを介してモーターを駆動するので、モーターの電源を別にすることが出来る。電源が別であれば、モーターの駆動力に制約を受けないので様々な機構への応用が期待できる。【００１３】  次に本装置の防塵と防滴である。指示ユニットと受動ユニットの可動ベース回転受け穴１０・２０にシャフトを固定することにより、シャフトを介して外部から可動ベースを動かすことができる。シャフトを介して外部から可動ベースを動かすことにより防塵、防滴にすることは容易である。
【符号の説明】
【００１４】１    モーター
２    受動ユニット
３    指示ユニット
４    指示部取付けブラケット  左
５    静止ベース  左
６    接触端子  左（Ａ〜Ｋ：個々の端子）
７    可動接触板  右
８    可動接触板  左
９    可動ベース
１０  可動ベース回転受け穴
１１  静止ベース  右
１２  接触端子  右（Ｌ〜Ｖ：個々の端子）
１３  指示部取付けブラケット  右
１４  受動部取付けブラケット  左
１５  静止ベース  左
１６  接触端子  左（Ａ〜Ｋ：個々の端子）
１７  可動接触板  右
１８  可動接触板  左
１９  可動ベース
２０  可動ベース回転受け穴
２１  静止ベース  右
２２  接触端子  右（Ｌ〜Ｖ：個々の端子）
２３  受動部取付けブラケット  右
２４  リレー
２５  リレー
【手続補正３】
【補正対象書類名】図面
【補正対象項目名】全図
【補正方法】変更
【補正の内容】
【図１】
0003221657.tif 000009
【図２】
0003221657.tif 000010
【図３】
0003221657.tif 000011
【図４】
0003221657.tif 000012
【図５】
0003221657.tif 000013
【図６】
0003221657.tif 000014
【図７】
0003221657.tif 000015
【図８】
0003221657.tif 000016
【図９】
0003221657.tif 000017